(57)【特許請求の範囲】
【請求項１】
利用者を特定する利用者情報を入力させる入力部と、
取引される有価証券を受入処理する受入口と、
前記有価証券の識別情報を識別する識別部と、
前記有価証券の少なくとも片面の有価証券画像データを取得する画像データ取得手段と、
前記有価証券を収納する収納部と、
前記有価証券画像データに、前記利用者情報と前記識別情報と前記有価証券が前記収納部に収納された場所情報とを合成して記憶する記憶部とを備えた
有価証券処理装置。
【請求項２】
前記識別部の識別結果に基づいて受付許可された前記有価証券を正常券とし、
前記識別部の識別結果に基づいて受付拒否された前記有価証券を異常券とし、
前記有価証券が前記正常券の場合は前記収納部に収納させ、前記異常券の場合は返却させる制御手段と、
前記返却された異常券があったとき、該異常券の再受付を選択可能にする再受付手段を備えた
請求項１に記載の有価証券処理装置。
【請求項３】
前記識別部の識別結果に基づいて受付許可された前記有価証券を正常券とし、
前記識別部の識別結果に基づいて受付拒否された前記有価証券を異常券とし、
前記収納部は、
前記正常券を収納する正常券収納部と、
前記異常券を収納する異常券収納部を備え、
前記有価証券の受入処理時に、
前記正常券を前記正常券収納部に収納させ、
前記異常券を前記異常券収納部に収納させる振分手段を備えた
請求項１に記載の有価証券処理装置。
【請求項４】
貨幣を収納する貨幣収納部と、
前記貨幣収納部より貨幣を出金する貨幣出金口とを備え、
前記有価証券を正常券と識別した場合、該有価証券の金額情報に応じた出金額を前記貨幣収納部より前記貨幣出金口に出金許可させる
請求項２または３に記載の有価証券処理装置。
【請求項５】
前記有価証券画像データは、
前記有価証券の表面全体および裏面全体を撮影して取得した画像である
請求項１〜４のいずれか１項に記載の有価証券処理装置。
【請求項６】
前記有価証券画像データに、
電子透かし処理する電子透かし手段を備えた
請求項１〜５のいずれか１項に記載の有価証券処理装置。
【請求項７】
前記識別部は、
前記有価証券画像データに記録された磁気情報または光学情報のうち、少なくとも一方の情報によって記録された文字情報を識別する
請求項１〜６のいずれか１項に記載の有価証券処理装置。
【請求項８】
前記記憶部に記憶されている合成された前記有価証券画像データを表示させて管理者に視認させる表示部を備え、
前記入力部は前記有価証券画像データに対し、管理者により指示情報を入力許容させる構成をさらに備えた
請求項１〜７のいずれか１項に記載の有価証券処理装置。
【請求項９】
有価証券を処理する有価証券処理装置と、該有価証券処理装置と通信接続した有価証券管理装置とを備えた有価証券処理システムであって、
前記有価証券処理装置には、
利用者を特定する利用者情報を入力させる入力部と、
取引される有価証券を受入処理する受入口と、
前記有価証券の識別情報を識別する識別部と、
前記有価証券の少なくとも片面の有価証券画像データを取得する画像データ取得手段と、
前記有価証券を収納する収納部と、
前記有価証券画像データに、前記利用者情報と前記識別情報と前記有価証券が前記収納部に収納された場所情報とを合成して記憶する記憶部とを備え、
前記有価証券管理装置には、
前記有価証券処理装置の記憶部に記憶されている合成された前記有価証券画像データを取得して管理する制御部と、
前記制御部が管理している合成された前記有価証券画像データを表示して管理者に視認させる表示部と、
前記合成された有価証券画像データに対し、管理者により指示情報を入力許容させる管理者入力部とを備えた
有価証券処理システム。
【請求項１０】
利用者を特定する利用者情報を取得する利用者情報取得ステップと、
取引される有価証券を受入処理する受入ステップと、
前記有価証券の識別情報を取得する識別情報取得ステップと、
前記有価証券の少なくとも片面の有価証券画像データを取得する画像データ取得ステップと、
前記有価証券を収納部に収納する収納ステップと、
前記有価証券画像データに、前記利用者情報と前記識別情報と前記有価証券が前記収納部に収納された場所情報とを合成して記憶する記憶ステップとを備えた
有価証券処理方法。
【発明の詳細な説明】
【技術分野】
【０００１】
この発明は、小切手や商品券等の有価証券を受入処理する有価証券処理装置に関し、さらに詳しくは有価証券の決済に伴う有価証券処理装置、有価証券処理システムおよび有価証券処理方法に関する。
【背景技術】
【０００２】
近年、デパートや小売店等の流通業界では売上金管理効率の向上と現金管理に対する防犯の観点から店舗内に売上金を入金させて管理する売上金入金機が設置されつつある。
【０００３】
この売上金入金機は、レジの係員が顧客から代金として受け取った紙幣を入金するための端末であるが、店舗によっては紙幣だけでなく、小切手や商品券といった有価証券も代金として受け取ることがあり、紙幣と同様に小切手や商品券も同一端末で扱えるようにしたいとの市場要求がある。
【０００４】
例えば、小切手処理装置については小切手を専用の読取装置に入金させた際に、小切手の画像と磁気インク文字を読み取り、この読み取り結果に応じて、装置内部で小切手の仕分け作業などを実行している。小切手の決済処理が終わると、無効化(ＶＯＩＤ)処理として小切手の決済処理が終了したことを示す認証データを小切手の裏面に印刷すると共に、銀行と顧客または店舗との取引に疑義が生じた場合に備え、小切手の表面画像および小切手の裏面画像である認証データの印刷部分を読み取り、この読み取った画像データを証拠として保存している。
【０００５】
このため、小切手処理装置では、小切手の磁気インク文字を読み取るセンサと小切手の画像を読み取るスキャナのほかに、認証データの印刷を行う印刷ヘッドとを備えて構成している。
【０００６】
このような小切手に施されている磁気インク文字や画像の読取結果に基づいて受入れた小切手をフラッパで所望の搬送先に振り分けている。また、振り分けた搬送先に配置した印刷機構で磁気インク文字および画像の読取結果が正常である場合に、印刷機構により小切手に裏書きを行っている。このとき、磁気インク文字や画像を読み取った小切手の読取結果に読取不能や読取不良が発生した場合には、印刷機構による小切手の裏書きを行わないように制御する小切手類読取装置が提案されている（例えば特許文献１参照）。
【先行技術文献】
【特許文献】
【０００７】
【特許文献１】特開２００８−１０２６６１号公報
【発明の概要】
【発明が解決しようとする課題】
【０００８】
特許文献１によれば、小切手の決済処理に伴う無効化処理は印刷機構で裏書きを行うことにより実行しているが、この印刷機構を搭載するために小切手類読取装置が複雑化してしまう。さらに、紙幣入金用の装置と共通化する場合には紙幣入金時には必要のない印刷機構を搭載することになるため制御が複雑になり、部品点数の増加も懸念されることになる。
【０００９】
また、磁気インク文字や画像の読取結果に基づいて正常な小切手のみ処理しているものの、小切手が流通過程で傷んだり、汚れていたりすると真小切手であるにもかかわらず読取不良のために返却されてしまうことがある。流通業界向けの小切手入金機用途においては汚れた小切手であっても店員の立場としては一旦顧客から受け取った小切手であり、入金処理を行う必要があるが、返却された小切手については別の手段、例えば封筒入金等で対応せざるを得ず、手間が掛かる上、運用が煩雑となってしまう。
【００１０】
このようなことから小切手の裏書きに関して、裏書きが印刷された小切手の画像を証拠として読み取るのではなく、読み取った決済処理前の小切手の裏面画像と認証データとを保存してデータ管理することが考えられる。
【００１１】
この際は、小切手の裏書きをデータ上で行うことにより印刷機構を省略することが可能となる。ところが、処理済みであるにも関わらず、印刷がされていない小切手は一見すると処理済みであるか否かの判断ができない。特に、小切手処理装置は係員による処理を前提とした有人機向けの装置であり、これらの装置にて処理された小切手の取り扱いは係員の処理に頼ることになる。
【００１２】
しかしながら、無人機を前提とした小切手入金機の用途では処理済みの小切手が装置内部の定められた複数の場所のうち、どこに収納して管理されているかを明らかにしておく必要がある。また、認証データの生成は決済が正式に完了した場合に実行されるものであり、未完了の場合は受付拒否されてしまうことになる。例えば、磁気インク文字の読取不良が発生した場合やネットワークが一時的に遮断された場合では認証データが生成されず、小切手の処理は未完了となり、返却されてしまう問題を有していた。
【００１３】
そこでこの発明は、有価証券の受入管理性能を高めて自動機としての入金作業の手間を極力低減させることができる有価証券処理装置、有価証券処理システムおよび有価証券処理方法を提供することを目的とする。
【課題を解決するための手段】
【００１４】
この発明は、利用者を特定する利用者情報を入力させる入力部と、取引される有価証券を受入処理する受入口と、前記有価証券の識別情報を識別する識別部と、前記有価証券の決済情報を判別する判別部と、前記有価証券の少なくとも片面の有価証券画像データを取得する画像データ取得手段と、前記有価証券を収納する収納部と、前記画像データ取得手段で取得した有価証券画像データに、前記利用者情報と前記有価証券が前記収納部に収納された場所情報とを合成して記憶する記憶部とを備えた有価証券処理装置であることを特徴とする。
【発明の効果】
【００１５】
この発明によれば、有価証券の受入管理性能を高めて自動機としての入金作業の手間を極力低減させることができる有価証券処理装置、有価証券処理システムおよび有価証券処理方法を提供することができる。
【図面の簡単な説明】
【００１６】
【図１】実施例１の小切手入金機の外観斜視図。
【図２】実施例１の小切手入金機の内部構造を示す概略構成図。
【図３】実施例１の小切手入金機の制御部を示す制御ブロック図。
【図４】実施例１の表示操作部に表示される入金受付画面を示す表示図。
【図５】実施例１の表示操作部に表示される選択画面を示す表示図。
【図６】実施例１の表示操作部に表示される入金開始画面を示す表示図。
【図７】実施例１の小切手入金機と上位装置とを通信接続した状態を示す小切手処理システムの概略説明図。
【図８】実施例１の表示操作部に表示される返却された小切手の詳細な画面の一例を示す表示図。
【図９】実施例１の入金受付開始時の処理動作を示すフローチャート。
【図１０】実施例１の通常入金される識別受付モードの入金処理動作を示すフローチャート。
【図１１】実施例１の強制入金モードの入金処理動作を示すフローチャート。
【図１２】実施例１の合成画像データの生成手順を示したフローチャート。
【図１３】実施例１の決済完了した小切手の合成画像データを示した表示図。
【図１４】実施例１の合成画像データの生成手順を示したフローチャート。
【図１５】実施例１の保留された小切手の合成画像データを示した表示図。
【図１６】実施例１の上位装置に表示される小切手の表示画面を示す表示図。
【図１７】実施例１の小切手処理装置と上位装置とを通信接続した状態を示す小切手仕分け処理システムの概略説明図。
【図１８】実施例２の共用入金モードの入金処理動作を示すフローチャート。
【図１９】実施例２におけるＰＯＳシステムを利用した概略構成図。
【図２０】実施例３における換金機能を備えた小切手入金機の制御部を示す制御ブロック図。
【発明を実施するための形態】
【００１７】
この発明の一実施例を以下図面に基づいて説明する。
【実施例１】
【００１８】
図１は小切手入金機１の外観を示す図であって、デパートや小売店等の店舗のバックヤードに設置される。この小切手入金機１を利用する店員（以下利用者と称す）は表示操作部２４に表示される入金に関する情報を確認するとともに、小切手入金機１の入金取引に必要な操作を該表示操作部２４の表示画面にタッチ入力させて行う。小切手入金機１には小切手処理部２が内蔵されており、上部前面には小切手の投入口１０と、小切手の返却口１２と、カード挿入口１８が備えられている。
【００１９】
図２は小切手入金機１の内部構成を示している。この小切手入金機１は内部に搭載されている小切手処理部２によって小切手Ｃの繰出し、搬送、収納等のハンドリングを行う。この小切手処理部２には、投入口１０、識別部１１、返却口１２、振分ゲート１３、強制入金庫３Ａ，３Ｂ、確定入金庫４Ａ〜４Ｃが内蔵されている。
【００２０】
投入口１０は取引される小切手を受入処理する受入口として備えられている。通常はシャッタで閉じられており、入金取引時に開閉操作される。
【００２１】
識別部１１は投入口１０の内方に連通する小切手搬送路上に備えられている。この識別部１１には、小切手Ｃの枚数を検出する枚数検知センサ１４や小切手Ｃの磁気インク文字を読み取る文字読取センサ１６、小切手Ｃの画像を取り込むカメラ１５などが内蔵されており、投入された小切手Ｃが正常であるか異常であるかを識別するとともに、小切手Ｃが搬送される際にこれらのセンサ１４，１６およびカメラ１５によって小切手の現在の使用状態が識別情報として取り込まれる。ここで取り込まれた識別情報は、後述する主制御部２０へ伝達される。主制御部２０では、正常な識別結果であれば、続いて小切手の認証をとって予め定められた手法で小切手入金機１の運用に活用される。
【００２２】
なお、識別部１１に際しては画像データから磁気および光学的に記録された文字情報を識別するとよい。文字情報としては磁気インク文字読取装置（ＭＩＣＲ）や光学式文字読取装置（ＯＣＲ）だけでなく、バーコード等の記号を固有情報として使用することも可能である。これにより、画像イメージだけでなく小切手の持つ固有情報を認識することで、データ管理上において一層有効となる。
【００２３】
返却口１２は前記投入口１０の近傍に備えられており、識別部１１で識別不能な小切手と識別された小切手を返却処理する。
【００２４】
この小切手処理部２は上部に投入口１０、識別部１１、返却口１２を備え、利用者が小切手を入金する取扱い処理部として扱われる。また、下部に強制入金庫３Ａ，３Ｂと確定入金庫４Ａ〜４Ｃを備え、受入れた小切手を収納処理する収納処理部として備えられている。さらに、搬送路の切換部分には小切手振分用の振分ゲート１３が配設されている。
【００２５】
強制入金庫３Ａ，３Ｂは受け入れた小切手Ｃを識別部１１で識別した際に異常券として受付拒否された場合、さらには識別部１１の識別結果に関わらず、該小切手を確定しないまま強制的に収納させる場合に用いられる。
【００２６】
ここでは両方の強制入金庫３Ａ，３Ｂをともに異常券収納部とし、このうち一側の強制入金庫３Ａを、識別部１１で異常券と識別された小切手を異常券として該一側の強制入金庫３Ａに収納する識別異常券専用の入金庫としている。
【００２７】
また、他側の強制入金庫３Ｂを、後述する決済処理サーバ７９（図７参照）に小切手の認証を問い合わせた際に利用不可と判別された認証不可小切手を異常券として該他側の強制入金庫３Ｂに収納する認証異常券専用の入金庫としている。
【００２８】
確定入金庫４Ａ〜４Ｃは正常券収納部として用いられ、識別部１１の識別結果および後述する主制御部２０の認証結果に基づいて正常な小切手であると確定された小切手を収納処理させる場合に用いられる。
【００２９】
なお、小切手処理部２は入金専用に処理する運用上、一時保留部を省略した構成が可能となり、該小切手入金機１の簡素化を図ることが可能となる。このような構成では一時保留部が構成されていないが、必要な場合には確定入金庫４Ａ〜４Ｃのうち、一つを一時保留部として利用することも可能であり、もしくは別途一時保留部を搭載してもよい。
【００３０】
図３は小切手入金機１の制御構成を示したブロック図である。このブロック図において、２０は小切手入金機１の各部を制御する主制御部である。２１は主制御部２０の動作プログラムを記録したＲＯＭ、２２は主制御部２０が各部を制御する制御データを読み書き可能に記録するＲＡＭである。
【００３１】
小切手処理部２の内部には上述したように識別部１１、振分ゲート１３、強制入金庫３Ａ，３Ｂ、確定入金庫４Ａ〜４Ｃのほかに投入口１０の小切手Ｃの有無を検知する投入口検知センサ１７が搭載されている。これにより、利用開始時に投入口１０へ小切手が投入されたことを検知し、小切手が投入口１０に複数ある場合は１枚ずつ取り込まれる小切手の残存状態を検知することができる。
【００３２】
さらに、小切手入金機１のカード挿入口１８と連通する内方にはカード読取部２３が備えられている。このカード読取部２３で利用者が入金する際に挿入されたＩＤカードに記録されている自身のＩＤ番号や口座番号等を記録したカード情報を読み取る。
【００３３】
また、小切手入金機１の上部には表示操作部２４が備えられている。この表示操作部２４は利用者に必要な情報を表示する表示機能とタッチ入力機能を備えており、利用者が入金操作するのに必要な情報を表示させ、また入金操作に必要な操作をタッチ入力させる場合に使用する表示機能と入力機能とを兼ねて備えている。このほか、後述する上位装置７１（図７参照）との間で情報の送受信を行う通信部２５が備えられている。
【００３４】
２６はＲＡＭから構成される情報格納部であって、所定の領域に、小切手画像情報２７と、識別結果および後述する決済処理サーバ７９での認証結果に基づき小切手毎のステータス情報を管理する認証管理情報２８とを格納している。
【００３５】
前記主制御部２０は小切手の受入処理時に、利用者を特定する利用者情報と投入口１０より受け入れた小切手Ｃを収納管理する場所情報としての小切手の収納場所情報とを関連付けた関連情報を記憶させるとともに、小切手Ｃを該装置内部のいずれかの入金庫３Ａ，３Ｂ、４Ａ〜４Ｃに振り分けて収納させる制御機能を有している。
【００３６】
ここで、利用者情報としては、利用者本人を特定するＩＤカードをカード挿入口１８に挿入してカード読取部２３が読み取ることで、そのＩＤカードから利用者本人を特定することができる。この際、日付情報と、利用者本人を特定した情報を利用者情報として加えた場合は、より正確となり誤りなく利用者を特定できる。また、日付情報やＩＤ情報以外にも時間や口座番号等の情報を用いてもよい。この際は、同一の利用者であっても複数の取引に分けて管理することが可能になる。このほかにも、表示操作部２４により利用者本人を特定する必要情報を入力させてもよい。
【００３７】
さらに、投入された小切手に関しては、投入口検知センサ１７の検知信号により小切手が受け入れられたことを確認する。また、識別部１１で小切手の券種、枚数との識別結果情報により受け入れられた小切手の状態を１枚ずつ識別する。さらに、このとき識別した小切手の券種、例えば定額小切手であれば価値情報を合わせて判別することができる。また、後述する上位装置７１と通信することにより認証情報を得ることができる。
【００３８】
特に、小切手の表面および裏面の少なくとも片面の小切手画像データをカメラ１５により取得し、この取得した小切手画像データに、利用者情報と小切手が収納される収納場所情報とを合成して記憶する構成を有している。
【００３９】
この合成情報はＲＯＭ２１に格納されたプログラムに沿って、利用者情報と収納場所情報とを合成して電子データとしてＲＡＭ２２に記憶管理させることにより取引時の履歴が得られ、入金運用時の証拠として管理することが可能となる。
【００４０】
ここで、小切手の収納場所情報は小切手を強制入金庫３Ａ，３Ｂか確定入金庫４Ａ〜４Ｃかに収納させた際の入金庫の場所を特定するとともに、その入金庫内においても収納された整列枚数の順位まで正確に特定して収納管理する。
【００４１】
このような入金機能を有することで、小切手受入時の取引履歴を確保して小切手Ｃを装置内部の強制入金庫３Ａ，３Ｂまたは確定入金庫４Ａ〜４Ｃに振り分けて収納させることができる。このため、各小切手を装置内に履歴の残る形で収納させることができる。
【００４２】
上述のような構成としたことで、処理済みであることを示すために小切手一枚毎に印刷機構を用いて裏書きする必要もなく、処理装置としては印刷機構が不要となり、構成を簡易化できる。さらに、処理された小切手は強制入金庫３Ａ，３Ｂか確定入金庫４Ａ〜４Ｃかに収められるため未処理小切手との混在も生じない。処理済みの小切手を確認する必要が発生した場合は、収納場所情報から所在が明らかとなるため容易に確認することが可能になる。また、識別情報からは装置が誤りなく小切手を認識したかどうかを確認することが可能となる。
【００４３】
さらに、主制御部２０は小切手の受入処理時に、識別部１１の識別結果に基づいて正常券として受付許可された小切手を前記確定入金庫４Ａ〜４Ｃに収納させ、異常券として受付拒否された小切手を返却口１２に返却する識別受付モードを備える一方、受け入れた小切手を識別部１１の識別結果や認証可否を表わす判別結果に関わらず前記強制入金庫３Ａ，３Ｂに収納させ、ＲＡＭ２２に前記関連付けされた関連情報を記憶させる強制収納モードとのいずれか一方に制御する制御機能を備えている。
【００４４】
前記識別受付モードは識別部１１で小切手を受け付けて識別した際に、適正に読み取られた正常な小切手であることを確定すると取込処理し、異常な小切手があれば返却するという通常の入金処理を実行するものである（以下、通常入金モードと称す）。
【００４５】
前記強制収納モードは受け入れた小切手を識別部１１の識別結果に関わらず装置内部に収納処理させる強制的な収納処理動作を実行するものを言う。
【００４６】
主制御部２０は上述のような２通りのモード選択機能を有することで、正常な小切手の場合は受付許可して確定入金庫４Ａ〜４Ｃに収納させる。この際、仮に流通過程で傷んだ小切手が混入している場合を想定すると、通常入金モードの場合であれば識別部１１が異常小切手と誤識別し、返却することになる。ところが、この返却された小切手に対しては強制収納モードにして再度強制収納させることができる。これにより、返却された小切手を確実に装置内部に収納し、装置内部で全ての小切手を安全に管理することが可能となる。
【００４７】
従って、例えば、封筒入金方式など、別の運用手順に頼る必要がなくなり、取引運用手順が簡易化する。また、返却された未確定の小切手を強制入金庫３Ａ，３Ｂへ収納することで、正常券と区別して収納することができ、小切手の精査の際に正常小切手と異常小切手が混在するのを防止することができる。
【００４８】
さらに、強制収納させた小切手の券種と枚数を利用者入力手段としての表示操作部２４を用いて入力指示させることも可能である。つまり、返却された小切手の再受付時に、その返却された小切手をどの券種が何枚と指定入力させて利用者が指示した情報を利用者情報の一部として記憶させることもできる。なお、この表示操作部２４に対しては通常入金モードにおいて、入金時の入金枚数や券種を入力させて照合できるようにするのが好ましい。
【００４９】
さらに、主制御部２０には前記通常入金モードにより返却された小切手があったとき、該返却された小切手の再受付時に、前記通常入金モードを実行するか前記強制収納モードを実行するかを利用者により選択可能にする選択手段としての機能を有している。
【００５０】
この選択手段を備えることにより、正常でないと判定されて返却された異常券に対し、利用者が該異常券を装置内部に強制的に収納させるか否かを選択させることができる。
【００５１】
図４は表示操作部２４で小切手を入金案内する入金受付画面４１を示している。この入金受付画面４１は入金受付ボタン４２を表示しており、この入金受付ボタン４２が押下されることで前記通常入金モードによる小切手の入金取引が実行される。
【００５２】
図５は表示操作部２４で取引モードを選択入力させる選択入力画面５１を示している。この選択入力画面５１は前記入金受付画面４１で取引開始される通常入金モードを実行した際に、異常券であるために返却された小切手があったとき、該返却された小切手の再受付時に、通常入金モードを実行するか強制収納モードを実行するかを利用者により選択可能にする画面を表わしている。
【００５３】
５２は通常入金ボタンであり、通常入金モードを選択する場合に押下される。この通常入金モードでは入金された小切手Ｃが正常であるか否かを識別した後、ネットワーク経由で決済処理サーバ７９（図７参照）へ有効性を確認し、有効である場合にのみ入金処理が行われる。５３は強制入金ボタンであり、通常入金の結果、返却された小切手に対し、強制入金モードが選択される場合に押下される。
【００５４】
図６は表示操作部２４での通常入金モード選択後の入金開始画面６１である。
【００５５】
６２は開始／終了ボタンであり、投入口１０に小切手Ｃを装填後、入金処理を開始あるいは終了する場合に押下される。６３は表示入力領域であり、通常入金モード時には入金される小切手の券種、枚数、合計金額を表示する表示領域となり、強制入金モード時には強制入金される小切手の券種、枚数、合計金額を利用者が入力する入力領域となる表示入力機能を有している。なお、通常入金モードであっても、利用者により券種や枚数等の入金情報を入力させて利用者との関連情報を増やして照合情報をより一層高めるようにしてもよい。
【００５６】
また、利用者は詳細ボタン６４により、入金された小切手Ｃが識別部１１を通過する際に取得した小切手の識別情報を詳細に表示させることができる。
【００５７】
図７は既述した小切手入金機１と上位装置７１とを接続して構成される小切手処理システムの一例を示している。この小切手入金機１に接続される上位装置７１は、識別情報と、判別情報と、収納場所情報と、利用者情報とを関連付けた情報を取得する制御部７２が備えられている。この制御部７２は通信部７３を介して既述した小切手入金機１の通信部２５と接続されており、ＲＯＭ７４に格納されたプログラムに沿って取引データを制御し、その制御データをＲＡＭ７５で読出し可能に記憶している。
【００５８】
さらに、制御部７２が管理している小切手の小切手画像データを表示して管理者に視認させる表示部７６と、管理者による指示情報を入力許容させる管理者入力部７７とを備えている。
【００５９】
この上位装置７１は、例えば小切手の画像を液晶表示する表示部７６とキーボード等の管理者入力部７７を備えたパーソナルコンピュータで構成することができる。
【００６０】
そして、この上位装置７１は小切手入金機１とは有線または無線にて接続されて認証データの作成を行う。上位装置７１は、インターネット等のネットワーク７８経由で小切手Ｃの有効性を認証するための決済処理サーバ７９と接続されている。この上位装置７１は小切手入金機１の文字読取センサ１６で読み取った小切手データを小切手入金機１より受信し、決済処理サーバ７９に送信する。この決済処理サーバ７９の応答に基づいて上位装置７１は小切手Ｃの認識を行い小切手Ｃが有効であるか否かを判別する。
【００６１】
この認証したときの判別結果を判別情報とし、受け入れた小切手の有効性を調べるために識別結果と共に求められる。
【００６２】
さらに、この上位装置７１には多数台の小切手入金機１を遠隔監視できるように通信接続されており、この上位装置７１側から管理者が任意に遠隔位置の小切手入金機１の精査を実行できるようになっている。
【００６３】
そして、小切手入金機１から上位装置７１に対し、小切手の決済要求情報を送信し、上位装置７１からさらに決済処理サーバ７９に送信し、該決済処理サーバ７９から上位装置７１が決済回答を受信し、これに基づいて小切手入金機１では小切手の有効性や決済処理が完了したか否かの判別結果がえられる。さらに、主制御部２０は小切手の決済処理が完了したと判別したとき、該小切手の金額情報に応じた出金額を出金許可させる取引機能を備えている。これにより、例えば小切手より換金された金額が出金されたり、該当する口座に出金額が加算されたりする。
【００６４】
このように上位装置７１には小切手入金機１のＲＡＭ２２から取得した情報に基づいて決済処理サーバ７９から小切手の有効性の適否情報を取得するとともに、小切手の情報を表示部７６により管理者に視認させ、かつ管理者により指示される指示情報を管理者入力部７７により入力操作させることができる。
【００６５】
上述のような構成としたことで、管理者にとって小切手画像データは直感的で分かり易く、また取引時の履歴情報となる。さらに、管理者は精査の際に、収納部の小切手を確認するのではなく、小切手画像データ上で小切手の券種や枚数の識別結果に基づき、識別できなかった項目にのみ注意して目視確認すれば、小切手入金機１に直に携わらなくても正確で容易に精査することができる。
【００６６】
このため、確認作業の効率がよく、画像データ主体の運用を実現できることから、例えば集中管理センタのような遠隔施設から複数の装置を対象とした精査作業の実現が可能となる。
【００６７】
さらに、全て画像データ上で管理できるので上位装置７１から管理者が識別したり、必要情報を指示したりすることができる。また、識別不明な小切手に対しては手作業に頼ることなく、画像上で明瞭に分析できるため能率よく処理できる。
【００６８】
ことに、小切手入金機１に異常券として収納した小切手について、管理者が目視可能に精査することで、損券小切手など従来の装置では識別不能小切手として扱えなかった小切手を正常小切手として扱えることが可能になり、小切手運用上での利便性を格段に向上させることができる。
【００６９】
図８は通常入金モード時に詳細ボタン６４が押下されることにより表示される小切手詳細画面８１の一例を表わしている。  
この小切手詳細画面８１は識別部１１で取得された小切手の表裏画像８２、小切手の画像から磁気インク文字部分のみを切り出した磁気インク文字拡大画像８３、磁気インク文字拡大画像８３から識別部１１の文字読取センサ１６が認識した磁気インク文字認識結果８４、小切手が正常であるか否かを判別した識別結果８５、決済処理サーバ７９により正常に決済が終了したか否かを表す決済処理情報８６を表示する。
【００７０】
磁気インク文字拡大画像８３と磁気インク文字認識結果８４は容易に見比べられるように並べて表示している。これにより、利用者は自身が入金した小切手について誤りなく磁気インク文字が認識されていることを目視にて確認することができる。また、磁気インク文字の一部分に汚れが付着しているため認識できなかった場合にも識別結果８５、決済処理情報８６を表示させることにより認識できなかった場合の原因が明確となり、特に強制入金時にはどの小切手がどの処理まで完了しているかを一目で理解可能となる。８７は項目切替ボタン、８８は小切手切替ボタンである。
【００７１】
このように表示すれば、取引された全ての画像を利用者がその場で確認することができる。また、強制入金時においても利用者は一目で把握することができるため該利用者の納得性を得ることができる。つまり、強制入金モードを選択したときの強制収納される返却小切手のデータを利用者に明瞭に確認させることができる機能を有している。
【００７２】
図９〜図１２は小切手入金時の受入処理手順を示したフローチャートであって各ステップは主制御部２０が実行する処理である。  
図９は入金受付開始時のフローチャートである。通常、小切手入金機１は図４に示すように、表示操作部２４に入金受付画面４１が表示されている。そして、入金受付画面４１（ステップＳ１）の入金受付ボタン４２が押されるのを待機している。この入金受付ボタン４２が利用者により押されると（ステップＳ２）、小切手の入金受付が開始され、投入口１０に投入された小切手は該投入口１０より内部に取り込まれ、識別部１１で識別される（ステップＳ３）。
【００７３】
このとき、識別不能な小切手があれば（ステップＳ４）、その未識別の小切手を返却口１２に返却する（ステップＳ５）。この返却された小切手があった際には、再受付する画面を表示操作部２４に表示する（図５参照）。そして、通常入金モードか強制入金モードかを選択させる（ステップＳ６）。通常入金モードが選択された場合は、前記ステップＳ３以降の処理が実行される（ステップＳ３〜ステップＳ６）。
【００７４】
一方、強制入金モードが選択された場合は、その返却された小切手を強制入金させて全て小切手を取り込ませる。これにより、一入金取引が終了する。なお、ステップＳ４で識別部１１が識別した際に識別不能な小切手がなければ（ステップＳ４：ＮＯ）、全て正常な小切手と判定して取引終了する。また、ステップＳ７およびステップＳ８：ＮＯで一定時間経過しても、通常入金モードあるいは強制入金モードのいずれも選択されなければ、返却小切手の入金処理を中止したと判定して取引終了する（ステップＳ７：ＮＯ、ステップＳ８：ＮＯ）。
【００７５】
図１０は通常入金モードでの入金処理手順を示したフローチャートである。  
利用者が通常入金ボタン５２を選択した後、投入口１０に小切手Ｃを投入して開始／終了ボタン６２を押すと、主制御部２０は投入口検知センサ１７の検知出力により投入口１０に小切手Ｃが有り、かつ小切手Ｃの入金指示があったと判断し（ステップＳ１１：ＹＥＳ）、小切手Ｃを識別部１１へ搬送する（ステップＳ１２）。識別部１１では小切手Ｃの枚数、券種、磁気インク文字等の小切手データを識別する（ステップＳ１３）。
【００７６】
合わせて、識別部１１はカメラ１５により小切手Ｃの表裏全体の両面画像を取得する（ステップＳ１４）。主制御部２０は識別部１１によって小切手Ｃが正常と識別されたか否かを確認し（ステップＳ１５）、正常と識別されていると（ステップＳ１５：ＹＥＳ）、識別部１１で取得した小切手データは上位装置７１からインターネットを経由して決済処理サーバ７９へ送信され、小切手Ｃの有効性が判別される（ステップＳ１６）。
【００７７】
小切手Ｃが有効と判別されると（ステップＳ１６：ＹＥＳ）、小切手Ｃを識別部１１から指定された確定入金庫４Ａ〜４Ｃへ搬送する（ステップＳ１７）。搬送後は、投入口１０に小切手Ｃがあるか否かを判定し（ステップＳ１８）、投入口１０に未だ小切手Ｃがあれば（ステップＳ１８：ＮＯ）、上述したステップＳ１２以降の処理を実行する。
【００７８】
一方、ステップＳ１５において、識別部１１によって小切手Ｃが異常であると識別されていると（ステップＳ１５：ＮＯ）、小切手Ｃを識別部１１から返却口１２へ搬送して返却する（ステップＳ１９）。
【００７９】
識別部１１で異常と識別された小切手Ｃは、複数の判定項目のうち少なくとも１つの項目を満足しなかった小切手である。例えば、小切手入金機１で取り扱い不可能となった券種の小切手や真小切手であるが、しわが寄っていたり汚れが付いていたりというように傷んだ状態であるために、磁気インク文字が認識できなかった小切手も含まれている。
【００８０】
また、ステップＳ１６において、小切手Ｃが有効と判別されない場合（ステップＳ１６：ＮＯ）、同様に小切手Ｃを識別部１１から返却口１２へ搬送して返却する（ステップＳ１９）。なお、小切手Ｃが有効と判別されない場合とは、例えば決済処理サーバと通信できない場合など通信上の不具合が発生した場合が含まれる。
【００８１】
小切手Ｃを返却口１２へ返却すると（ステップＳ１９）、主制御部２０は、投入口１０の小切手Ｃが全てなくなったか否かを判定し（ステップＳ２０）、投入口１０に未だ小切手Ｃがあれば（ステップＳ２０：ＮＯ）、ステップＳ１２以降の処理が実行される。
【００８２】
これに対し、投入口１０の小切手Ｃが全てなくなると（ステップＳ１８：ＹＥＳ,ステップＳ２０：ＹＥＳ）、繰出しを終了し、表示入力領域６３に小切手Ｃの券種、枚数、合計金額を表示する。
【００８３】
なお、利用者は返却口１２に搬送された小切手Ｃを投入口１０に再度投入し、開始／終了ボタン６２を再度押してもよい。何度、通常入金モードにて入金処理を行っても返却口１２へ返却される小切手Ｃについては、図１１に示す強制入金モードにて入金処理を行う。
【００８４】
図１１は強制入金モードの入金処理手順を示すフローチャートである。  
利用者は強制入金ボタン５３を選択した後、表示入力領域６３に強制入金にて入金する券種情報および枚数情報を入力し（ステップＳ２１）、投入口１０に小切手Ｃを投入して開始／終了ボタン６２を押すと、主制御部２０は投入口検知センサ１７の検知出力により投入口１０に小切手Ｃが有り、かつ小切手Ｃの入金指示があったと判断して（ステップＳ２１：ＹＥＳ）、小切手Ｃを投入口１０から識別部１１へ搬送する（ステップＳ２２）。
【００８５】
識別部１１では枚数検知センサ１４と文字読取センサ１６により小切手の枚数、券種、磁気インク文字等の小切手データを識別する（ステップＳ２３）。合わせて、識別部１１はカメラ１５により小切手Ｃの表裏画像を取得する（ステップＳ２４）。
【００８６】
その後、ステップＳ２５において、主制御部２０は投入口１０から小切手が正常に繰り出されているか否かを判定する。２枚出しや識別性能に影響のある大きなスキュー状態の場合など正常な繰出状態でないと判断すると（ステップＳ２５：ＮＯ）、小切手Ｃを返却口１２へ搬送する（ステップＳ２７）。一方、正常な繰出状態であると判断すると（ステップＳ２５：ＹＥＳ）、主制御部２０は識別部１１によって小切手Ｃが正常であると識別されたか否かを確認し（ステップＳ２６）、正常であると識別されると（ステップＳ２６：ＹＥＳ）、小切手Ｃを強制入金庫３Ｂに強制収納する（ステップＳ２９）。
【００８７】
また、識別部１１によって小切手Ｃが異常であると識別されると（ステップＳ２６：ＮＯ）、小切手Ｃを強制入金庫３Ａへ強制収納する（ステップＳ２８）。
【００８８】
小切手Ｃが返却口１２、あるいは確定入金庫４Ａ〜４Ｃ、もしくは強制入金庫３Ａ、３Ｂへ搬送された後は投入口１０の小切手Ｃが全てなくなったか否かを判定し（ステップＳ３０）、投入口１０に未だ小切手Ｃが残っていれば（ステップＳ３０：ＮＯ）、上述したステップＳ２２以降の処理を実行する。
【００８９】
これに対し、投入口１０の小切手Ｃが全てなくなると（ステップＳ３０：ＹＥＳ）、強制入金を終了する。なお、利用者は返却口１２に搬送された小切手Ｃを投入口１０に再度投入し、開始／終了ボタン６２を再度押して再処理するようにしてもよい。
【００９０】
以上の手順によると、利用者にとっては磁気インク文字の読取不良や通信状態の不都合等による決済処理の未完に関わらず、全ての小切手を一旦小切手入金機１内に留保させることができるので防犯上も有効であり、また、通常の入金処理と同じ装置で強制入金できることから、運用手順も煩雑とならない。
【００９１】
また、装置の管理者にとっては強制入金庫内の紙幣は少なくとも枚数が確定しており、装置の管理者は画像データ上から券種と磁気インク文字の読み取り、および決済処理サーバでの処理状況に注力して精査すればよく、管理手間を軽減させることができる。また、識別時に正常でない小切手と、決済処理時に正常でない小切手とを区別して入金庫別に分けることで、さらに効率良く小切手を精査することが可能となる。
【００９２】
さらに、小切手入金機１と決済を行う決済処理サーバ７９間での通信状態が不通となった場合にも、正常券と分けて強制入金庫３Ａ，３Ｂに収納することで、通信異常のため返却された小切手を利用者が持ち帰ることなく、装置内部に取り込むことが可能となる。
【００９３】
図１２に通常入金モードを終了した後に実行されるデータ上での無効化処理手順のフローチャートを示す。  
この無効化処理手順は入金が終了した後、識別部１１に内蔵されたカメラ１５により小切手の表裏全体画像を取得する。この取得した小切手の表裏画像に、利用者のＩＤ番号、利用した小切手入金機１の端末番号、日付等の利用者情報と、識別部１１による識別データとして磁気インク文字の認識結果と、決済処理サーバ７９にて決済が終了したことを示す認証データと、読み取った小切手が収納された入金庫の場所情報とを合成し、小切手１枚毎に合成画像データを作成する（ステップＳ３１）。
【００９４】
次に、合成画像データに改ざん防止の処理を付与する。例えば、電子透かしを付与する（ステップＳ３２）。電子透かし以外にも合成画像データ毎にパスワードを設定する方法でもよい。
【００９５】
ここで、合成画像データ１３１を生成する場合について図１３を参照して説明する。  
識別部１１で取得した小切手の表裏画像８２（図８参照）の裏面に裏書画像情報として、利用者情報１３２、識別データ１３３、収納場所情報１３４、認証データ１３５を上書きする。図１３では上部に各テキストデータとして利用者情報１３２と識別データ１３３と収納場所情報１３４と認証データ１３５とを小切手の形状に見合った長方形状の枠内に整列させて表示した状態を示している。
【００９６】
そして、下部に小切手の表裏画像を左右に並べて表示し、表面側は既存の金額表示部１３６や磁気インク文字領域１３７等の表示が施されている。また、裏面側は白紙であるが、この白紙に上述のテキストデータを画像データに変換して上書きすることにより小切手裏面の形状に見合った合成画像データ１３１が施されていることを示している。
【００９７】
つまり、小切手の裏面は白紙ではあるが、その小切手の決済完了情報等を画像データにより確保して小切手の利用情報を画像管理できることを表わしている。
【００９８】
利用者情報１３２は小切手入金機１による当該取引を特定するための情報であり、例えば日付や時間、小切手入金機１の端末番号、あるいは利用者のＩＤ番号や口座番号であってもよい。
【００９９】
識別データ１３３は磁気インク文字の認識結果である。小切手の表裏画像８２と合成することで、識別部１１が誤りなく磁気インク文字を認識したことがデータ上、目視で確認可能となる。
【０１００】
また、収納場所情報１３４は小切手がどこに収納されたかを示す情報であり、入金処理後に万一疑義が生じた場合にも小切手の現物とデータとを紐付けすることができ、媒体管理上有効である。
【０１０１】
認証データ１３５は当該小切手の決済処理が完了しているか否かを示すステータス情報であり、認証データ内には例えば銀行名や銀行番号、処理日付、処理番号が含まれる。さらに、この認証データ１３５は決済処理サーバ７９からの応答に基づき、上位装置７１から該認証データが受信される。そして、この認証データ１３５により当該小切手は決済処理が完了していることが明らかとなる。
【０１０２】
以上の手順によると、小切手処理部２に印刷ヘッドが搭載されていなにも関わらず、合成画像データ１３１は裏書きが印刷された小切手について改めてスキャナ等で画像化した場合と等価な画像データとなるだけでなく、元の小切手は入金庫内で確実に管理され、未処理の小切手と混ざる可能性はない。
【０１０３】
また、利用者情報１３２、識別データ１３３を合わせて合成することで、利用者情報、合成画像データ、現物の小切手の３つを誤りなく関連づけることが可能となる。また、改ざん防止の処理を施すことで、合成画像データ１３１の信頼性を保証することができ、小切手の決済後の処理をデータのみで行う運用においても証拠性を高めることが可能となる。
【０１０４】
一方、図１４に強制入金取引終了後のデータ処理手順のフローチャートを示す。  
強制入金が終了した後、識別部１１に内蔵されているカメラ１５により撮影した小切手の表裏画像に、利用者のＩＤ番号、利用した小切手入金機１の端末番号、日付等の利用者情報と、識別データとして読み取った磁気インク文字の認識結果と、小切手が収納された入金庫の情報とを合成し、小切手１枚毎に合成画像データを作成する（ステップＳ４１）。
【０１０５】
これらの合成される情報を関連付ける方法としては、視認性を保つため小切手画像上の番号や主要表示部を避けた部分に利用者情報を上書きすることで利用者情報付きの画像データとすることができる。具体的には、強制的に収納された小切手の少なくとも片面の小切手画像データを画像データ取得手段としてＣＣＤカメラ等の鮮明に撮影可能なカメラ１５が取得し、そのカメラ１５で取得した前記小切手画像データを小切手の情報として記憶するものである。
【０１０６】
この小切手の画像データは、小切手の表面全体と裏面全体との両面を画像イメージとしてとらえるのが好ましい。これにより、画像データが取引処理上の補助的な役割であるのではなく、現物の小切手に代用して運用を行うことが可能となり、小切手がその後の運用で必要なくなる。紙媒体がどうしても必要となった場合には、その画像イメージを印刷すればよい。
【０１０７】
これにより、どんな小切手であっても、入金された小切手の画像データを取得することで、証拠としての履歴を残すことができるだけでなく、強制入金庫３Ａ，３Ｂや確定入金庫４Ａ〜４Ｃ内の小切手が、精査時に誰によって入金されたものであるかを明確にすることが可能となる。
【０１０８】
あるいは利用者情報をテキストデータとして保存し、テキストデータと小切手画像データとを一括りのデータとして管理してもよい。すなわち、テキストデータと小切手画像データとを合成させてもよい。この際、改ざん防止を図って利用者情報を画像データに変換し、該変換した画像データを前記小切手画像データに合成させるとよい。この合成に際しては合成手段としての主制御部２０により合成させることができる（図１３）。これにより、関連付けられた複数のファイルを開くのではなく、一つの画像データにて全ての情報が含まれており、管理上も都合がよいだけでなく、視認性が高められる。
【０１０９】
さらに、取引データに電子透かしを付与することで改ざん防止の処理を行うようにしてもよい（ステップＳ４２）。この際は、小切手画像データに電子情報を埋め込むことで改ざん防止が可能となり、画像データの信頼性および証拠性を一層高めることが可能となる。電子透かし以外にも取引データ毎にパスワードを設定する方法でもよい。
【０１１０】
一方、強制入金モード時の合成画像データ１５１の生成について図１５を参照して説明する。  
識別部１１で取得された小切手の表裏画像８２に上書きする際、図１５では上部に各テキストデータとして利用者情報１５２と識別データ１５３と収納場所情報１５４と認証データ１５５とを小切手の形状に見合った長方形状の枠内に整列させて表示した状態を示している。
【０１１１】
そして、下部に小切手の表裏画像を左右に並べて表示している。このうち、裏面の白紙面上に、上述のテキストデータを画像データに変換して上書きした合成画像データ１５１を表示している。
【０１１２】
この場合、識別データ１５３として磁気インク文字の読取不良が発生した際には、認識不良が発生したことが分かるように、認識できなかった桁部分のみを「＊」で表してもよい。また、認証データ１５５としては小切手が認識できないために決済処理ができず、決済処理が未完了（保留）である旨が上書きされることを表わしている。
【０１１３】
以上の手順によると、小切手の表裏の画像を電子データとして確保できることから利用者が行った入金取引の履歴を確実に残すことができるとともに、利用者が入金処理を行った後、管理者が入金取引の精査を行うまでの間に取引データの改ざんが行われていない保証となり、信頼性のある確かなデータとして利用者および管理者が利用できる。
【０１１４】
さらに、受け付けた小切手について、利用者や決済処理のステータス情報が一見して理解可能である。決済処理が保留となった小切手について個別の入金庫で確実に管理されるため、決済処理済みの小切手と混ざる可能性もない。
【０１１５】
次に、小切手入金機１の管理者による強制入金小切手の精査に関する実施形態について説明する。  
管理者は小切手入金機１の表示操作部２４を操作して強制入金取引のステータス情報を確認、精査してもよいし、図７に示したように管理者は小切手入金機１と接続された上位装置７１を操作して、強制入金取引のステータス情報を確認、精査してもよい。
【０１１６】
図１６は上位装置７１の表示操作部２４に表示された詳細な小切手の表示図である。  
１６１は上位装置７１の表示画面を示し、強制入金により受け付けた小切手に関して、識別部１１により取得された小切手の表裏画像８２、小切手の画像から磁気インク文字部分のみを切り出した磁気インク文字拡大画像８３、識別部１１の文字読取センサ１６が認識した磁気インク文字の認識結果８４、識別部１１により小切手が正常（ＯＫ）であるか否（ＮＧ）かを判別した識別結果８５、決済処理サーバ７９により正常に決済が終了したか否（未）かを表す決済処理情報８６、認識結果８４を修正する場合に使用する修正ボタン１６２、再決済を行うための再決済ボタン１６３とを備えて表示される。
【０１１７】
管理者は拡大画像８３と認識結果８４を比較し、認識結果に誤りや認識できなかった番号桁がある場合に、修正ボタン１６２を押下し、拡大画像８３の目視結果に従い、修正を行う。
【０１１８】
また、決済処理が未完了となっている取引については再決済ボタン１６３を押下することで、決済処理サーバ７９と通信を行い、決済を完了させる。完了した取引については通常入金モードで入金した取引とデータ上、同じ扱いとし、図１３で示した合成画像データ１３１を作成する。再決済処理によっても処理が完了しない場合、管理者は必要に応じて強制入金庫内の現物紙幣を確認すればよい。また、この際、管理者が確認したい強制入金取引の小切手を強制入金庫から効率よく抽出するためには、小切手を処理する装置を使用してもよい。
【０１１９】
図１７は印字許容する小切手処理装置１７１の構成を示す図であって強制入金庫３Ａ、３Ｂが回収される場所に設置される。小切手処理装置１７１は内部に小切手Ｃを投入する投入口１７２、識別部１１、スタッカ１７３，１７４、振分ゲート１７５を内蔵し、小切手処理装置１７１は上位装置７１と接続されている。管理者は強制入金庫３Ａ，３Ｂから小切手Ｃを取り出し、投入口１７２へ投入すると、投入口１７２から繰り出された小切手は識別部１１へ搬送され、表裏画像が取得される。
【０１２０】
取得した表裏画像と、強制入金時に取得した小切手の表裏画像８２とを上位装置７１経由で比較することにより、小切手処理装置１７１は管理者が確認必要とする強制入金取引時の小切手のみを特定のスタッカ（例えば１７４）に振り分けることが可能となる。さらに、決済処理が正常に完了した小切手については、小切手処理装置１７１によりまとめて裏書き印刷処理を行ってもよい。その際には振分ゲート１７５により振り分けられた小切手が印刷ヘッド１７６を通過する際に、裏書き印刷を行う。
【０１２１】
裏書きの内容は認証データ１３５，１５５までを含めた合成画像データ１５１と同じ内容でもよいし、データ上で詳細は管理されているので、単に決済が終了していることを示す固定の文言でもよい。
【０１２２】
以上の手順によると複数の強制入金取引小切手が混在した強制入金庫内から特定の取引分の小切手のみを容易に取り出すことができ、管理者の強制入金取引の精査手間を軽減させることが可能となる。また、裏書きの認証データが必要になった場合には、印刷ヘッド１７６で印刷することにより印刷機構に特化した簡易装置が構成でき、小切手入金機の構成に影響を及ぼさず、小切手入金機は簡素な構成で実現可能となる。
【０１２３】
また、上記実施例では、この発明に関わる有価証券の処理装置について、小切手を入金する小切手入金機とした場合を例に挙げているが、この発明はこれに限定するものではなく、これ以外に、商品券やクーポン券等、裏書き処理が必要となる全ての有価証券に適用可能である。
【０１２４】
上述した小切手入金機１は、最初入金モードで小切手を受け付け、取引開始した時に読取不能な返却小切手が生じた際に、再度通常入金モードにするか、強制入金モードに移行するかを選択させる入金モードを利用者により選択させるという方法で対処している。これに対し、最初から強制入金モードで小切手を受け付けて入金処理を実行させるという運用プログラムを採用して構成することもできる。以下、その方法を後述する実施例２で説明する。
【実施例２】
【０１２５】
この実施例２は実施例１の小切手入金機１と比較して構造は同じであり、制御プログラムが一部異なる構成例である。このため、異なる制御プログラムの部分についてのみ説明する。  
この実施例２の制御プログラムは、小切手の受入処理時に、通常入金モードと強制入金モードとの双方の入金モード機能を有する共用モードで構成したことを特徴としている。
【０１２６】
このように構成したことで、小切手が入金された場合、正常券は確定入金庫４Ａ〜４Ｃに収納し、連れ出し等で入金枚数を確定不能な場合、異常券は証拠を確保できないため返却するようにし、枚数が確定できた異常券の場合は一方の強制入金庫３Ａに収納するようにし、認証が取れない異常券の場合は他方の強制入金庫３Ｂに収納するように小切手のステータス状態に応じて装置内部にきめ細かに振り分けて収納することができる。したがって、その後の小切手の取り扱いが簡単化する。
【０１２７】
図１８は通常入金モードと強制入金モードとを備えた共用モードでの入金処理手順の一例を示すフローチャートである。  
利用者は強制入金ボタン５３を選択した後、表示入力領域６３に強制入金にて入金する券種情報および枚数情報を入力し（ステップＳ５１）、投入口１０に小切手Ｃを投入して開始／終了ボタン６２を押すと、主制御部２０は投入口検知センサ１７の検知出力により投入口１０に小切手Ｃが有り、かつ小切手Ｃの入金指示があったと判断して（ステップＳ５１：ＹＥＳ）、小切手Ｃを投入口１０から繰出して識別部１１へ搬送する（ステップＳ５２）。
【０１２８】
識別部１１では枚数検知センサ１４と文字読取センサ１６により小切手の枚数、券種、磁気インク文字等の小切手データを識別する（ステップＳ５３）。合わせて、識別部１１はカメラ１５により小切手Ｃの表裏画像を取得する（ステップＳ５４）。
【０１２９】
その後、ステップＳ５５において、主制御部２０は投入口１０から小切手が正常に繰り出されているか否かを判定する。２枚出しや識別性能に影響のある大きなスキュー状態の場合などが発生して正常な繰出状態でないと判断すると（ステップＳ５５：ＮＯ）、小切手Ｃを返却口１２へ搬送する（ステップＳ５９）。
【０１３０】
一方、繰り出しが正常であると判断すると（ステップＳ５５：ＹＥＳ）、主制御部２０は識別部１１によって小切手Ｃが正常であると識別されたか否かを確認し（ステップＳ５６）、正常であると識別されると（ステップＳ５６：ＹＥＳ）、識別部１１で取得した小切手データは上位装置７１からインターネットを経由し決済処理サーバ７９へ送信され、小切手Ｃの有効性を判別する（ステップＳ５７）。
【０１３１】
小切手Ｃが有効と判別されると（ステップＳ５７：ＹＥＳ）、小切手Ｃを識別部１１から指定された例えば確定入金庫４Ａへ搬送する（ステップＳ５８）。
【０１３２】
また、上述のステップＳ５６で、識別部１１によって小切手Ｃが異常であると識別されると（ステップＳ５６：ＮＯ）、小切手Ｃを強制入金庫３Ａへ収納する（ステップＳ６０）。識別部１１で取得した小切手データが有効と判別されない場合は（ステップＳ５７：ＮＯ）、小切手Ｃを強制入金庫３Ｂへ収納する（ステップＳ６１）。
【０１３３】
小切手Ｃが返却口１２、あるいは確定入金庫４Ａ〜４Ｃ、もしくは強制入金庫３Ａ、３Ｂへ搬送された後は、投入口１０の小切手Ｃが全てなくなったか否かを判定し（ステップＳ６２）、投入口１０に未だ小切手Ｃがあれば（ステップＳ６２：ＮＯ）、上述したステップＳ５２以降の処理を実行する。
【０１３４】
これに対し、投入口１０の小切手Ｃが全てなくなると（ステップＳ６２：ＹＥＳ）、共用モードの入金処理を終了する。なお、利用者は返却口１２に搬送された小切手Ｃがある場合は、その返却された小切手Ｃを投入口１０に再度投入し、開始／終了ボタン６２を再度押して再処理するようにしてもよい。
【０１３５】
この場合も、装置の管理者にとっては入金庫内の紙幣は少なくとも枚数が確定しており、装置の管理者は画像データ上から券種と磁気インク文字の読み取り、および決済処理サーバでの処理状況に注力して精査すればよく、管理手間を軽減させることができる。また、識別時に正常でない小切手と決済処理時に正常でない小切手とを入金庫によって分けることで、さらに効率良く小切手を精査することが可能となる。ことに、小切手のステータス状態に応じて装置内部にきめ細かに振り分けて収納することを可能としているため、その後の小切手の取り扱いが簡単化する利点がある。
【０１３６】
図１９は既述した小切手入金機１とＰＯＳ（販売時点情報管理）システム１９１とを接続して構成した利用者の入金利用能率の向上を図った一例を示している。  
この小切手入金機１をＰＯＳシステム１９１に接続して構成した場合、利用者のＰＯＳ端末１９２より事前に入力してデータ収集させた入金データはＰＯＳ通信網１９３を介してＰＯＳサーバ１９４で管理される。このＰＯＳサーバ１９４と小切手入金機１とを通信回線で接続することにより、利用者のＰＯＳ端末１９２と小切手入金機１とを連動させることができ、小切手入金機１での売上金の入金操作前に利用者のＩＤカードに基づいて枚数情報と券種情報とをオンラインで能率よく取得させることが可能になる。
【０１３７】
これにより、小切手入金機１での入金操作時に利用者が入金する小切手束の券種と枚数を利用者が把握しておき、かつ入金時点で入力操作するような入力操作の手間を省略することができ、能率のよい入金利用を図ることができる。
【実施例３】
【０１３８】
この実施例３の小切手入金機は実施例１の小切手入金機１の入金構成に貨幣の出金機能を備えたことを特徴とするものである。よって、実施例１の小切手入金機１と比較して現金による出金機能を備えたことが異なり、他は同じ構成である。したがって、異なる構成部分についてのみ説明する。  
図２０は実施例１で既述した小切手入金機１の図３に示す制御部の制御ブロック図を参照すると、この構成に加えて小切手に対する換金機能を持たせた貨幣処理部２０１を新たに備えて構成したものである。
【０１３９】
この貨幣処理部２０１は換金用の貨幣を収納する貨幣収納部２０２と、該貨幣収納部２０２より貨幣を出金する貨幣出金口２０３とを備えて構成される。そして、主制御部２０が小切手を受け付けた際に、その受け付けた小切手を正常券と識別するとともに、その小切手の決済が完了した時点で、利用者により現金による出金額の要請があったことを確認すると、主制御部２０は該小切手の金額情報に応じた出金額を貨幣収納部２０２より貨幣出金口２０３に出金させる
このような換金機能を備えた小切手入金機を用いれば利便性が向上し、運用能率の良い小切手入金機としてさらに運用性能が高まる。
【０１４０】
この発明は上述の実施例の構成に限らず、様々な構成の実施態様を得ることができる。例えば、上述の実施例では小切手入金機１と決済処理サーバ７９とを上位装置７１を介して接続した構成例を示したが、これに限らず小切手入金機自体に管理者による精査可能な管理機能を備えて構成してもよく、直接決済処理サーバ７９に接続して運用するように構成してもよい。
【符号の説明】
【０１４１】
１…小切手入金機
２…小切手処理部
３Ａ，３Ｂ…強制入金庫
４Ａ〜４Ｃ…確定入金庫
１０…投入口
１１…識別部
１５…カメラ
２０…主制御部
２２…ＲＡＭ
２３…カード読取部
２４…表示操作部
７１…上位装置
８２…小切手表裏画像
１３１，１５１…合成画像データ
１３２，１５２…利用者情報
１３３，１５３…識別データ
１３４，１５４…収納場所情報
１３５，１５５…認証データ
【図１】
0005478431.tif 000002
【図２】
0005478431.tif 000003
【図３】
0005478431.tif 000004
【図４】
0005478431.tif 000005
【図５】
0005478431.tif 000006
【図６】
0005478431.tif 000007
【図７】
0005478431.tif 000008
【図８】
0005478431.tif 000009
【図９】
0005478431.tif 000010
【図１０】
0005478431.tif 000011
【図１１】
0005478431.tif 000012
【図１２】
0005478431.tif 000013
【図１３】
0005478431.tif 000014
【図１４】
0005478431.tif 000015
【図１５】
0005478431.tif 000016
【図１６】
0005478431.tif 000017
【図１７】
0005478431.tif 000018
【図１８】
0005478431.tif 000019
【図１９】
0005478431.tif 000020
【図２０】
0005478431.tif 000021